(57)【要約】  【課題】  本発明は、前述した問題点を解決しようとするものであり、浴室内のカウンタ有無とは無関係に使用することができ、ともまわりの発生を防止することが可能な接続配管を提供することを目的とする。  【解決手段】  本発明は、通水管と、この通水管の一端又は両端に接続したねじ溝を有する接続金具と、この接続金具に係合する回転防止具とを備え、前記接続金具が複数の突起を有し、前記回転防止具が接続金具の突起に係合する切欠を有した接続配管である。また、通水管が、可撓性を有する合成樹脂成形管である接続配管。  【選択図】  図５
2006291499.tif 000002
【特許請求の範囲】
【請求項１】
通水管と、この通水管の一端又は両端に接続したねじ溝を有する接続金具と、この接続金具に係合する回転防止具とを備え、前記接続金具が複数の突起を有し、前記回転防止具が接続金具の突起に係合する切欠を有した接続配管。
【請求項２】
請求項１において、通水管が、可撓性を有する合成樹脂成形管である接続配管。
【請求項３】
請求項１又は２において、接続金具が、複数の突起を識別する識別印を有する接続配管。
【請求項４】
請求項３において、識別印が数字である接続配管。
【請求項５】
請求項１乃至４のいずれかにおいて、接続金具が、浴室ユニットの給水配管又は給湯配管に螺合する接続配管。
【発明の詳細な説明】
【技術分野】
【０００１】
本発明は、配管の一部として使用される接続配管に関する。
【背景技術】
【０００２】
接続配管は、配管の一部として使用されるもので、具体的には浴室ユニットに用いられる給水配管、給湯配管等に用いられる。
【０００３】
図１は、従来用いられた接続配管を示す浴室ユニットの透視斜視図である。浴室内には、浴槽１及びカウンタ２が設けられ、浴槽１には浴槽内に湯張りを行う浴槽水栓３を配置し、カウンタ２を設置している浴室壁４にカウンタ水栓５を設置している。
【０００４】
浴室にて使用される水及び湯は、給水配管６及び給湯配管７により浴室内に導かれ、分水金具８によって浴槽水栓３への水路及びカウンタ水栓５への水路に分岐される。また、配管は、浴室使用者からは見えないようにしてあり、給水配管６及び給湯配管７が、浴槽１とこの浴槽１のエプロンとの間に配置され、分水金具８から浴槽水栓３迄の配管についても、浴槽１とこの浴槽１のエプロンとの間に配置される。
【０００５】
分水金具８からカウンタ水栓５迄の配管は、基本的にカウンタ２の内部を通すことにより、浴室使用者から隠すことができるが、カウンタ２の上面からカウンタ水栓５迄の間は、配管を隠蔽するものがないので、接続配管９により浴室壁４の裏面に配管を通すようにしている。
【０００６】
図２は、カウンタのない浴室の透視斜視図である。カウンタがない場合は、カウンタ水栓５へと湯水を導入する配管を隠蔽するものがなくなるので、接続配管９の長さを長くすることにより、その大部分を浴室壁４の裏面に隠すようにする。
【特許文献１】特開平７−３１０４４６号公報  図１
【発明の開示】
【発明が解決しようとする課題】
【０００７】
しかしながら、図１に記載される接続配管は、カウンタを備える浴室でしか使用することができず、接続配管が浴室壁の裏面、接続配管に接続する水栓又は配管が浴室壁の表面にあることから、接続時にともまわりが発生しやすく、接続配管がよじれないように金属製の接続配管を使用する必要があった。
【０００８】
また、図２に記載される接続配管は、カウンタの有無とは無関係に使用することができるものの、やはりともまわりによる配管のよじれを防止するために、金属製の接続配管を使用する必要があり、更には、接続配管が直線状の配管でないことから、左右勝手違いの配管となり、その長さ及び左右の違いにより多くの種類の接続配管を準備する必要があった。
【０００９】
本発明は、前述した問題点を解決しようとするものであり、浴室内のカウンタ有無とは無関係に使用することができ、ともまわりの発生を防止することが可能な接続配管を提供することを目的とする。
【課題を解決するための手段】
【００１０】
（１）本発明は、通水管と、この通水管の一端又は両端に接続したねじ溝を有する接続金具と、この接続金具に係合する回転防止具とを備え、前記接続金具が複数の突起を有し、前記回転防止具が接続金具の突起に係合する切欠を有した接続配管である。
（２）項（１）において、通水管が、可撓性を有する合成樹脂成形管である接続配管。
（３）項（１）又は（２）において、接続金具が、複数の突起を識別する識別印を有する接続配管。
（４）項（３）において、識別印が数字である接続配管。
（５）項（１）乃至（４）のいずれかにおいて、接続金具が、浴室ユニットの給水配管又は給湯配管に螺合する接続配管。
【発明の効果】
【００１１】
本発明の接続配管によれば、回転防止具の切欠と、接続金具の突起とを係合させることによりともまわりの発生を防止することができ、また、突起を複数設けたことにより接続配管を必ずしも鉛直方向に向ける必要がなく、接続配管を斜めに接続固定することができるので、カウンタの有無に関係なく使用することができる。
【００１２】
また、接続配管は、ともまわりを防止することにより、必ずしも金属製である必要はなく、可撓性を有する合成樹脂成形管を使用することができ、施工性を向上させることができると共に、左右勝手違いにならず、左右共通の接続配管とすることができる。
【００１３】
更に、複数の突起を識別する識別印を設けた場合には、どの突起により契合させるかの指示を出しやすく、設置箇所毎に異なる接続配管を使用することなく、係合させる突起を指定するだけで、多くの種類の接続配管在庫を保管する必要がなくなる。
【発明を実施するための最良の形態】
【００１４】
本発明に用いる通水管は、水漏れがないものであれば特に制限されるものではなく、金属製、可撓性のある合成樹脂製のものなどを使用することができる。
また、高温水を使用する場合には、耐熱性能を有するものを使用することが好ましい。
【００１５】
本発明に用いる接続金具は、通水管の一端又は両端に接続されるものであり、ねじ溝を有している。ねじ溝は、接続される配管又は水栓のねじと螺合する。材質は、防錆金属又は防錆処理を施した金属であることが好ましい。
また、接続金具には、複数の突起が設けられており、この突起が後述する回転防止具と係合することにより、接続配管のともまわりを阻止する。
突起は、複数個、特に３個以上設けることが好ましく、接続配管を鉛直方向に配置した際に、鉛直方向に突出させた突起を起点として左右対称に同数の突起を設けることが特に好ましい。これは、接続配管の向きを左右どちら側にむけても同様に対応できるようにするためである。
更に、接続金具には、複数の突起を識別する識別印を設けることが好ましく、具体的には、数字、アルファベット、図形、記号等を用いることがききる。
【００１６】
本発明に用いる回転防止具は、接続金具に設けた突起と係合する切欠を有していれば特に制限されるものではなく、具体的には、金属製のＬ字金具に切欠を設けたものを使用することができる。
【実施例】
【００１７】
以下、図面を用いて、本発明の実施例を説明する。図３及び図４は、接続配管を示す正面図であり、浴室壁の裏面から見た状態を示している。
図３及び図４に示す接続配管９は、可撓性のある合成樹脂製のものであり、その一端に接続金具１０を有している。この接続金具１０は、回転防止具１１を介して浴室壁を貫通し、図示を省略する水栓に接続される。
尚、接続配管９は、２本記載しているが、一方は給水、他方は給湯に使用される。
接続配管９の接続金具１０を設けていない他端は、給水配管又は給湯配管に接続されるものであり、必要に応じ接続金具を用いるようにする。
【００１８】
図５は、図３及び図４に示す回転防止具部分の拡大図である。回転防止具１１は、フランジ１５を有した断面略Ｌ字の金属加工板であり、左右一対の貫通孔１３を有している。この貫通孔１３は、接続金具１０を貫通させるものであり、安全性を高めるために面取りが行われている。
【００１９】
また、貫通孔１３よりも内側には、一対のねじ孔１４が設けられ、回転防止具１１を浴室壁裏面に固定する。固定は、浴室壁裏面に直接固定しても良いが、間に木片等の緩衝材、石膏、グラスウール等の断熱材を介して行っても良い。
【００２０】
回転防止具１１のフランジ１５には、貫通孔１３の直上となる箇所に切欠１６が設けられており、この切欠１６に接続金具１０に設けた突起１２が係合する。本実施例では、突起１２を７個設け、個々の突起に対し、１〜７の番号を付与している。
【００２１】
図６は、図５に示す接続金具部分の拡大図である。本実施例では、４番の突起１２と、切欠１６が係合しており、接続金具１０がともまわりすることはない。また、１番から７番の突起は、接続金具１０の中心から見て３０度毎に設けてあり、４番の突起１２を中心として左右共に３個の突起を設けている。
突起１２の高さは、特定の突起１２を切欠１６に係合させた際に、係合させない突起１２と回転防止具１１とが当接しないような数値を適宜選択する。
【００２２】
図７は、本発明の他の実施例であり、ここでは、５番の突起１２と切欠１６とを係合させ、接続配管９を斜めにして固定している。接続作業者は、作業指示書に記載される係合させる突起の番号を見ることにより、容易に接続作業を行うことができ、また、接続現場の状況に応じて、配管取り回しを考え接続配管の向きを変えることもできる。従って、複数種類の接続配管を用意する必要がなく、１種類の接続配管により種々対応することができる。
【図面の簡単な説明】
【００２３】
【図１】従来例を示す浴室ユニットの透視斜視図である。
【図２】他の従来例を示す浴室ユニットの透視斜視図である。
【図３】本発明の実施例を示す接続配管の正面図である。
【図４】本発明の別の実施例を示す接続配管の正面図である。
【図５】図３及び図４に示す回転防止具の部分拡大図である。
【図６】図５に示す接続金具の部分拡大図である。
【図７】本発明の更に他の実施例を示す接続金具の部分拡大図である。
【符号の説明】
【００２４】
１．浴槽、２．カウンタ、３．浴槽水栓、４．浴室壁、５．カウンタ水栓、６．給水配管、７．給湯配管、８．分水金具、９．接続配管、１０．接続金具、１１．回転防止具、１２．突起、１３．貫通孔、１４．ねじ孔、１５．フランジ、１６．切欠
【図１】
2006291499.tif 000003
【図２】
2006291499.tif 000004
【図３】
2006291499.tif 000005
【図４】
2006291499.tif 000006
【図５】
2006291499.tif 000007
【図６】
2006291499.tif 000008
【図７】
2006291499.tif 000009